(57)【要約】【課題】共通電圧のリップルを防止して表示品質を向上させることができる表示装置を提供する。【解決手段】本発明の実施形態による表示装置は、第１方向に延長され、ゲート信号を受信する複数のゲートライン、前記第１方向と交差する第２方向に延長され、データ電圧を受信する複数のデータライン、前記ゲートライン及び前記データラインに連結された複数の画素、及び前記第２方向に延長され、前記データ電圧の極性と反対極性を有する反転電圧を受信する複数の反転ラインを含む。【選択図】図１
2016143056.tif 000002
【特許請求の範囲】
【請求項１】
第１方向に延長され、ゲート信号を受信する複数のゲートラインと、
前記第１方向と交差する第２方向に延長され、データ電圧を受信する複数のデータラインと、
前記ゲートライン及び前記データラインに連結された複数の画素と、
前記第２方向に延長され、前記データ電圧の極性と反対極性を有する反転電圧を受信する複数の反転ラインと、を含む表示装置。
【請求項２】
前記反転ラインの各々は、対応する前記データラインに隣接するように配置される請求項１に記載の表示装置。
【請求項３】
前記ゲートラインに前記ゲート信号を印加するゲート駆動部と、
前記データラインに前記データ電圧を印加するデータ駆動部と、をさらに含む請求項１に記載の表示装置。
【請求項４】
前記データラインから前記データ電圧を受信し、前記データ電圧の極性を反転させて前記反転電圧として出力する反転駆動部をさらに含む請求項３に記載の表示装置。
【請求項５】
前記反転駆動部は、表示パネルを介して前記データ駆動部と対向するように配置される請求項４に記載の表示装置。
【請求項６】
前記反転駆動部は、前記反転ラインに対応するように配置され、前記データ電圧の極性を反転させて前記反転電圧として出力する複数の反転ユニットを含む請求項４に記載の表示装置。
【請求項７】
前記データラインの一端は、前記データ駆動部に連結され、前記反転ユニットの各々の入力端は、対応する前記データラインの他端に連結され、前記反転ユニットの各々の出力端は、対応する前記反転ラインに連結される請求項６に記載の表示装置。
【請求項８】
前記反転駆動部は、表示パネルと前記データ駆動部との間に配置される請求項４に記載の表示装置。
【請求項９】
前記反転駆動部は、前記データ電圧の極性を反転させて前記反転電圧を出力する複数の反転ユニットを含み、
前記データラインの一端は、前記データ駆動部に連結され、前記反転ユニットの各々の入力端は、対応する前記データラインの他端に連結され、前記反転ユニットの各々の出力端は、対応する前記反転ラインに連結される請求項８に記載の表示装置。
【請求項１０】
前記ゲート信号を生成するゲート駆動部と、
前記データ電圧及び前記データ電圧の極性を反転させて前記反転電圧を出力するデータ駆動部と、をさらに含む請求項１に記載の表示装置。
【請求項１１】
前記データ駆動部は、前記反転電圧を生成する反転駆動部を含む請求項１０に記載の表示装置。
【請求項１２】
前記各画素は、レッド、グリーン、ブルー、ホワイト、イエロー、シアン、及びマゼンタの中でいずれか１つの色を表示する請求項１に記載の表示装置。
【請求項１３】
前記画素は、第１画素グループ及び第２画素グループにグルーピングされ、前記第１画素グループ及び前記第２画素グループは、前記第１方向及び前記第２方向に交互に配置される請求項１に記載の表示装置。
【請求項１４】
ｈ（ｈは自然数）番目の行の第１及び第２画素グループ及びｈ＋１番目の行の第１及び第２画素グループは、互に異なる極性のデータ電圧を受信する請求項１３に記載の表示装置。
【請求項１５】
前記第１画素グループ及び前記第２画素グループは、各々２ｋ（ｋは自然数）個の画素を含む請求項１３に記載の表示装置。
【請求項１６】
前記各々の第１画素グループは、レッド画素、グリーン画素、ブルー画素、及びホワイト画素の中で２つを含み、
前記各々の第２画素グループは、前記レッド画素、前記グリーン画素、前記ブルー画素、及び前記ホワイト画素の中で、前記第１画素グループに含まれない残る２つを含む請求項１３に記載の表示装置。
【発明の詳細な説明】
【技術分野】
【０００１】
本発明は表示装置に関し、より詳細には共通電圧のリップルを防止できる表示装置に関する。
【背景技術】
【０００２】
一般的な表示装置はレッド、グリーン、及びブルーの３原色を利用して色を表現する。したがって、このような表示装置に使用される表示パネルはレッド、グリーン、及びブルーカラーに対応する画素を含む。
【０００３】
最近、レッド、グリーン、ブルー、及び主要色を利用して色を表示する表示装置が開発されている。主要色はマゼンタ、シアン、イエロー、及びホワイトの中でいずれか１つであってもよく、２つ以上の色であってもよい。また、表示映像の輝度を向上させるためにレッド、グリーン、ブルー、及びホワイト画素を含む表示装置が開発されている。このような表示装置はレッド、グリーン、及びブルー映像信号を受信してレッド、グリーン、ブルー、及びホワイトデータ信号に変換する。
【０００４】
変換されたレッド、グリーン、ブルー、及びホワイトデータ信号はレッド、グリーン、ブルー、及びホワイト画素に提供される。その結果、レッド、グリーン、ブルー、及びホワイト画素によって映像が表示される。
【先行技術文献】
【特許文献】
【０００５】
【特許文献１】米国特許第７，５８３，２７９号公報
【特許文献２】米国特許第８，１９９，１０２号公報
【特許文献３】米国特許公開第２０１４／０１１８６５７号明細書
【特許文献４】米国特許公開第２０１４／０１２５６４４号明細書
【特許文献５】韓国特許第１０−１４４１３９５号公報
【発明の概要】
【発明が解決しようとする課題】
【０００６】
本発明の目的は、共通電圧のリップルを防止して表示品質を向上させることができる表示装置を提供することにある。
【課題を解決するための手段】
【０００７】
本発明の実施形態による表示装置は、第１方向に延長され、ゲート信号を受信する複数のゲートライン、前記第１方向と交差する第２方向に延長され、データ電圧を受信する複数のデータライン、前記ゲートライン及び前記データラインに連結された複数の画素、及び前記第２方向に延長され、前記データ電圧の極性と反対極性を有する反転電圧を受信する複数の反転ラインを含む。
【０００８】
前記反転ラインの各々は、対応する前記データラインに隣接するように配置される。
【０００９】
前記ゲートラインに前記ゲート信号を印加するゲート駆動部及び前記データラインに前記データ電圧を印加するデータ駆動部をさらに含む。
【００１０】
前記データラインから前記データ電圧を受信し、前記データ電圧の極性を反転させて前記反転電圧として出力する反転駆動部をさらに含む。
【００１１】
前記反転駆動部は、前記表示パネルを介して前記データ駆動部と対向するように配置される。
【００１２】
前記反転駆動部は、前記反転ラインに対応するように配置され、前記データ電圧の極性を反転させて前記反転電圧として出力する複数の反転ユニットを含む。
【００１３】
前記データラインの一端は、前記データ駆動部に連結され、前記反転ユニットの各々の入力端は、対応する前記データラインの他端に連結され、前記反転ユニットの各々の出力端は、対応する前記反転ラインに連結される。
【００１４】
前記反転駆動部は、前記表示パネルとデータ駆動部との間に配置される。
【００１５】
前記反転駆動部は、前記データ電圧の極性を反転させて前記反転電圧を出力する複数の反転ユニットを含み、前記データラインの一端は、前記データ駆動部に連結され、前記反転ユニットの各々の入力端は、対応する前記データラインの一端に連結され、前記反転ユニットの各々の出力端は、対応する前記反転ラインに連結される。
【００１６】
前記ゲート信号を生成するゲート駆動部及び前記データ電圧及び前記データ電圧の極性を反転させて前記反転電圧を出力するデータ駆動部をさらに含む。
【００１７】
前記データ駆動部は、前記反転電圧を生成する反転駆動部を含む。
【００１８】
前記各画素は、レッド、グリーン、ブルー、ホワイト、イエロー、シアン、及びマゼンタの中でいずれか１つの色を表示する。
【００１９】
前記画素は、第１画素グループ及び第２画素グループにグルーピングされ、前記第１画素グループ及び前記第２画素グループは、前記第１方向及び前記第２方向に交互に配置される。
【００２０】
前記ｈ（ｈは自然数）番目の行の第１及び第２画素グループ及び前記ｈ＋１番目の行の第１及び第２画素グループは、互に異なる極性のデータ電圧を受信する。
【００２１】
前記第１画素グループ及び前記第２画素グループは、各々２ｋ（ｋは自然数）個の画素を含む。
【００２２】
前記各々の第１画素グループは、レッド画素、グリーン画素、ブルー画素、及びホワイト画素の中で２つを含み、前記各々の第２画素グループは、前記レッド画素、前記グリーン画素、前記ブルー画素、及び前記ホワイト画素の中で、第１画素グループに含まれない残る２つを含む。
【発明の効果】
【００２３】
本発明の表示装置は共通電圧のリップルを防止して表示品質を向上させることができる。
【図面の簡単な説明】
【００２４】
【図１】本発明の第１実施形態による表示装置のブロック図である。
【図２】図１に示された１つの画素の等価回路図である。
【図３】図１に示された第１反転ユニットの構成を示す図面である。
【図４】図１に示された表示パネルの一部を示した平面図である。
【図５】単色で駆動される比較表示パネルの一部領域を示した図面である。
【図６】本発明の第２実施形態による表示装置のブロック図である。
【図７】本発明の第３実施形態による表示装置のブロック図である。
【図８】本発明の多様な実施形態による表示パネルの一部を示した平面図である。
【図９】本発明の多様な実施形態による表示パネルの一部を示した平面図である。
【図１０】本発明の多様な実施形態による表示パネルの一部を示した平面図である。
【図１１】本発明の多様な実施形態による表示パネルの一部を示した平面図である。
【図１２】本発明の多様な実施形態による表示パネルの一部を示した平面図である。
【図１３】本発明の多様な実施形態による表示パネルの一部を示した平面図である。
【図１４】本発明の多様な実施形態による表示パネルの一部を示した平面図である。
【図１５】本発明の多様な実施形態による表示パネルの一部を示した平面図である。
【図１６】本発明の多様な実施形態による表示パネルの一部を示した平面図である。
【図１７】本発明の多様な実施形態による表示パネルの一部を示した平面図である。
【図１８】本発明の多様な実施形態による表示パネルの一部を示した平面図である。
【図１９】本発明の多様な実施形態による表示パネルの一部を示した平面図である。
【図２０】本発明の実施形態による表示パネルの一部を示した平面図である。
【図２１】図２０に示された１つの画素の等価回路図である。
【図２２】図２０に示された１つの画素の他の等価回路図である。
【発明を実施するための形態】
【００２５】
本発明の長所及び特徴、そしてそれらを達成する方法は添付される図面と共に詳細に後述されている実施形態を参照すれば、明確になる。しかし、本発明は以下で開示される実施形態に限定されることではなく、互に異なる多様な形態に具現され得、単なる本実施形態は本発明の開示が完全になるようにし、本発明が属する技術分野で通常の知識を有する者に発明の範疇を完全に知らせるために提供されることであり、本発明は請求項の範疇によって定義されるだけである。明細書の全体に亘って同一参照符号は同一構成要素を称する。
【００２６】
素子（ｅｌｅｍｅｎｔｓ）又は層が他の素子又は層の“上（ｏｎ）”又は“うえ（ｏｎ）“と指称されることは他の素子又は層の直ちに上のみならず、中間に他の層又は他の素子を介在した場合を全て含む。反面、素子が“直接的に上（ｄｉｒｅｃｔｌｙ  ｏｎ）”又は“直上”と指称されることは中間に他の素子又は層を介在しないことを示す。“及び／又は”は言及されたアイテムの各々及び１つ以上の全ての組み合わせを含む。
【００２７】
空間的に相対的な用語である“下（ｂｅｌｏｗ）”、“下方（ｂｅｎｅａｔｈ）”、“下部（ｌｏｗｅｒ）”、“上（ａｂｏｖｅ）”、“上部（ｕｐｐｅｒ）”等は図面に示されているように１つの素子又は構成要素と異なる素子又は構成要素との相関関係を容易に説明するために使用される。空間的に相対的な用語は図面に示されている方向に加えて使用の時又は動作の時、素子の互に異なる方向を含む用語に理解しなければならない。明細書の全体に亘って同一参照符号は同一構成要素を称する。
【００２８】
たとえ第１、第２等が多様な素子、構成要素、及び／又はセクションを叙述するために使用されるが、これら素子、構成要素、及び／又はセクションはこれらの用語によって制限されないことは勿論である。これらの用語は単なる１つの素子、構成要素、又はセクションを他の素子、構成要素、又はセクションと区別するために使用するものである。したがって、以下で言及される第１素子、第１構成要素、又は第１セクションは本発明の技術的思想内で第２素子、第２構成要素、又は第２セクションであってもよいことは勿論である。
【００２９】
本明細書で記述する実施形態は本発明の理想的な例示図である断面図及び／又は平面図を参照して説明される。したがって、製造技術及び／又は許容誤差等によって例示図の形態が変形され得る。したがって、本発明の実施形態は図示された特定形態に制限されることではなく、製造工程によって生成される形態の変化も含むことである。したがって、図面で例示された領域は概略的な属性を有し、図面で例示された領域の模様は素子の領域の特定形態を例示するためのことであり発明の範疇を制限するためのものではない。
【００３０】
以下、添付された図面を参照して本発明の望ましい実施形態をより詳細に説明する。
【００３１】
図１は本発明の第１実施形態による表示装置のブロック図である。
【００３２】
図１を参照すれば、本発明の第１実施形態による表示装置１００Ａは表示パネル１１０、タイミングコントローラ１２０、ゲート駆動部１３０、データ駆動部１４０、及び反転駆動部１５０を含む。
【００３３】
表示パネル１１０は互いに対向する２つの基板の間に配置された液晶層を含む液晶表示パネルである。表示パネル１１０は複数のゲートラインＧＬ１〜ＧＬｍ、複数のデータラインＤＬ１〜ＤＬｎ、複数の反転ラインＩＬ１〜ＩＬｎ、及び複数の画素ＰＸを含む。ｍ及びｎは自然数である。
【００３４】
ゲートラインＧＬ１〜ＧＬｍは第１方向ＤＲ１に延長されてゲート駆動部１３０に連結される。データラインＤＬ１〜ＤＬｎは第１方向ＤＲ１と交差する第２方向ＤＲ２に延長される。データラインＤＬ１〜ＤＬｎの一端はデータ駆動部１４０に連結される。データラインＤＬ１〜ＤＬｎの他端は反転駆動部１５０に連結される。
【００３５】
反転ラインＩＬ１〜ＩＬｎは第２方向ＤＲ２に延長されて反転駆動部１５０に連結される。反転ラインＩＬ１〜ＩＬｎの数はデータラインＤＬ１〜ＤＬｎの数と同数である。反転ラインＩＬ１〜ＩＬｎは各々データラインＤＬ１〜ＤＬｎの中で対応するデータラインに隣接するように配置される。即ち、反転ラインＩＬ１〜ＩＬｎはデータラインＤＬ１〜ＤＬｎと１：１対応するように配置される。
【００３６】
画素ＰＸは互いに交差するゲートラインＧＬ１〜ＧＬｍ及びデータラインＤＬ１〜ＤＬｎによって区画された領域に配置される。したがって、画素ＰＸはマトリックス状に配列される。
【００３７】
画素ＰＸはゲートラインＧＬ１〜ＧＬｍ及びデータラインＤＬ１〜ＤＬｎに連結される。画素ＰＸとゲートラインＧＬ１〜ＧＬｍ及びデータラインＤＬ１〜ＤＬｎとの具体的な連結構成は以下、図３を参照して詳細に説明される。
【００３８】
各画素ＰＸは主要色（ｐｒｉｍａｒｙ  ｃｏｌｏｒ）の中で１つを表示する。主要色はレッド、グリーン、ブルー、及びホワイト色を含む。しかし、これに限定されなく、主要色はイエロー、シアン、及びマゼンタ等多様な色をさらに含んでもよい。
【００３９】
タイミングコントローラ１２０は集積回路チップの形態にプリント基板上に実装されてゲート駆動部１３０及びデータ駆動部１４０に連結される。タイミングコントローラ１２０は外部（例えば、システムボード）から画像信号ＲＧＢ及び制御信号ＣＳを受信する。
【００４０】
制御信号ＣＳはフレーム区別信号である垂直同期信号、行区別信号である水平同期信号、データが入ってくる区域を表示するためにデータが出力される区間の間のみにハイレベルであるデータイネーブル信号、及びメーンクロック信号を含む。
【００４１】
タイミングコントローラ１２０はデータ駆動部１４０とのインターフェイス仕様に合うように映像信号ＲＧＢのデータフォーマットを変換する。タイミングコントローラ１２０はデータフォーマットが変換された映像データＤＡＴＡをデータ駆動部１４０に提供する。
【００４２】
タイミングコントローラ１２０は制御信号ＣＳに応答してゲート制御信号ＧＣＳ及びデータ制御信号ＤＣＳを生成する。ゲート制御信号ＧＣＳはゲート駆動部１３０の動作タイミングを制御するための制御信号である。データ制御信号ＤＣＳはデータ駆動部１４０の動作タイミングを制御するための制御信号である。
【００４３】
ゲート制御信号ＧＣＳは走査開始を指示する走査開始信号、ゲートオン電圧の出力周期を制御する少なくとも１つのクロック信号、及びゲートオン電圧の持続時間を限定する出力イネーブル信号を含む。
【００４４】
データ制御信号ＤＣＳは映像データＤＡＴＡがデータ駆動部１４０に伝送される開始を知らせる水平開始信号、データラインＤＬ１〜ＤＬｎにデータ電圧を印加するように命令信号であるロード信号、及び共通電圧に対してデータ電圧の極性を決定する極性制御信号を含む。
【００４５】
タイミングコントローラ１２０はゲート制御信号ＧＣＳをゲート駆動部１３０に提供し、データ制御信号ＤＣＳをデータ駆動部１４０に提供する。
【００４６】
ゲート駆動部１３０はゲート制御信号ＧＣＳに応答してゲート信号を生成する。ゲート信号は順次的に出力される。ゲート信号はゲートラインＧＬ１〜ＧＬｍを通じて行単位に画素ＰＸに提供される。
【００４７】
データ駆動部１４０はデータ制御信号ＤＣＳに応答して映像データＤＡＴＡに対応するアナログ形態のデータ電圧を生成して出力する。データ電圧はデータラインＤＬ１〜ＤＬｎを通じて画素ＰＸに提供される。
【００４８】
ゲート駆動部１３０及びデータ駆動部１４０は複数の駆動チップで形成されて可撓性印刷回路基板上に実装され、テープキャリヤーパッケージ（ＴＣＰ：Ｔａｐｅ  Ｃａｒｒｉｅｒ  Ｐａｃｋａｇｅ）方式に表示パネル１１０に連結される。
【００４９】
しかし、これに限定されなく、ゲート駆動部１３０及びデータ駆動部１４０は複数の駆動チップで形成されて表示パネル１１０にチップオンガラス（ＣＯＧ：Ｃｈｉｐ  ｏｎ  Ｇｌａｓｓ）方式に実装されてもよい。また、ゲート駆動部１３０は画素ＰＸのトランジスタと共に同時に形成されてＡＳＧ（Ａｍｏｒｐｈｏｕｓ  Ｓｉｌｉｃｏｎ  ＴＦＴ  Ｇａｔｅ  ｄｒｉｖｅｒ  ｃｉｒｃｕｉｔ）形態に表示パネル１１０に実装される。
【００５０】
各画素ＰＸに印加されるデータ電圧の極性は液晶の劣化を防止するためにフレーム毎に反転される。例えば、データ駆動部１４０は極性制御信号に応答してフレーム毎にデータ電圧の極性を反転させて出力する。また、１フレームの画像が表示される時、画質向上のために１つのデータライン単位に互に異なる極性のデータ電圧が出力されて画素ＰＸに提供されてもよい。
【００５１】
画素ＰＸはゲートラインＧＬ１〜ＧＬｍを通じて受信されたゲート信号に応答してデータラインＤＬ１〜ＤＬｎを通じてデータ電圧を受信する。画素ＰＸはデータ電圧に対応する階調を表示することによって、映像が表示される。
【００５２】
反転駆動部１５０は表示パネル１１０を介してデータ駆動部１４０と対向するように配置されている。反転駆動部１５０はデータラインＤＬ１〜ＤＬｎを反転ラインＩＬ１〜ＩＬｎに連結する。反転駆動部１５０はデータラインＤＬ１〜ＤＬｎを通じて受信されたデータ電圧の極性を反転させて反転ラインＩＬ１〜ＩＬｎに印加する。
【００５３】
反転駆動部１５０は反転ラインＩＬ１〜ＩＬｎに対応するように配置される複数の反転ユニットＩＮＶ１〜ＩＮＶｎを含む。データラインＤＬ１〜ＤＬｎの各々の他端は反転ユニットＩＮＶ１〜ＩＮＶｎの中で対応する反転ユニットの入力端に連結される。
【００５４】
反転ラインＩＬ１〜ＩＬｎは各々反転ユニットＩＮＶ１〜ＩＮＶｎの中で対応する反転ユニットの出力端に連結される。即ち、反転ユニットＩＮＶ１〜ＩＮＶｎによってデータラインＤＬ１〜ＤＬｎは各々反転ラインＩＬ１〜ＩＬｎの中で対応する反転ラインに連結される。
【００５５】
反転ユニットＩＮＶ１〜ＩＮＶｎはデータラインＤＬ１〜ＤＬｎを通じて受信されたデータ電圧の極性を反転させて反転ラインＩＬ１〜ＩＬｎを通じて出力する。以下、データ電圧と反対極性を有し、反転ラインＩＬ１〜ＩＬｎに印加される電圧は反転電圧であると称する。反転電圧はデータ電圧と反対極性を有するので、反転電圧によってデータ電圧と反転電圧との極性の合計が相殺される。
【００５６】
図２は図１に示された１つの画素の等価回路図である。
【００５７】
説明を簡単にするために、図２には第２ゲートラインＧＬ２及び第１データラインＤＬ１に連結された１つの画素ＰＸが図示されている。図示しないが、表示パネル１１０の他の画素ＰＸの構成は実質的に、図２に示された画素ＰＸと同一である。
【００５８】
図２を参照すれば、表示パネル１１０は第１基板１１１、第１基板１１１と対向する第２基板１１２、及び第１基板１１１と第２基板１１２との間に配置された液晶層ＬＣを含む。
【００５９】
画素ＰＸは第２ゲートラインＧＬ２及び第１データラインＤＬ１に連結されたトランジスタＴＲ、トランジスタＴＲに連結された液晶キャパシターＣｌｃ、及び液晶キャパシターＣｌｃに並列に連結されたストレージキャパシターＣｓｔを含む。ストレージキャパシターＣｓｔは省略されてもよい。
【００６０】
トランジスタＴＲは第１基板１１１に配置されてもよい。トランジスタＴＲは第２ゲートラインＧＬ２に連結されたゲート電極、第１データラインＤＬ１に連結されたソース電極、及び液晶キャパシターＣｌｃ及びストレージキャパシターＣｓｔに連結されたドレーン電極を含む。
【００６１】
液晶キャパシターＣｌｃは第１基板１１１に配置された画素電極ＰＥ、第２基板１１２に配置された共通電極ＣＥ、及び画素電極ＰＥと共通電極ＣＥとの間に配置された液晶層ＬＣを含む。液晶層ＬＣは誘電体としての役割を果たす。画素電極ＰＥはトランジスタＴＲのドレーン電極に連結される。
【００６２】
図２で画素電極ＰＥは非スリット構造であるが、これに限定されなく、画素電極ＰＥは十字形状の幹部及び幹部から放射形に延長された複数の枝部を含むスリット構造を有してもよい。
【００６３】
共通電極ＣＥは第２基板１１２に全体的に形成される。しかし、これに限定されなく、共通電極ＣＥは第１基板１１１に配置されてもよい。このような場合、画素電極ＰＥ及び共通電極ＣＥの中で少なくとも１つはスリットを含んでもよい。
【００６４】
ストレージキャパシターＣｓｔは画素電極ＰＥ、ストレージライン（図示せず）から分岐されたストレージ電極（図示せず）、及び画素電極ＰＥとストレージ電極との間に配置された絶縁層を含む。ストレージラインは第１基板１１１に配置され、ゲートラインＧＬ１〜ＧＬｍと同一層に同時に形成される。ストレージ電極は画素電極ＰＥと部分的にオーバーラップされる。
【００６５】
画素ＰＸは主要色の中で１つを示すカラーフィルターＣＦをさらに含む。例示的な実施形態としてカラーフィルターＣＦは図２に示したように、第２基板１１２に配置される。しかし、これに限定されなく、カラーフィルターＣＦは第１基板１１１に配置されてもよい。
【００６６】
トランジスタＴＲは第２ゲートラインＧＬ２を通じて受信したゲート信号に応答してターンオンされる。第１データラインＤＬ１を通じて受信されたデータ電圧はターンオンされたトランジスタＴＲを通じて液晶キャパシターＣｌｃの画素電極ＰＥに提供される。共通電極ＣＥには共通電圧が印加される。
【００６７】
データ電圧及び共通電圧の電圧レベルの差によって画素電極ＰＥと共通電極ＣＥとの間に電界が形成される。画素電極ＰＥと共通電極ＣＥとの間に形成された電界によって液晶層ＬＣの液晶分子が駆動される。電界によって駆動された液晶分子によって光透過率が調節されて映像が表示される。
【００６８】
図示しないが、表示パネル１１０に光を提供するためのバックライトが表示パネル１１０の後方に配置されている。
ストレージラインには一定な電圧レベルを有するストレージ電圧が印加される。しかし、これに限定されなく、ストレージラインは共通電圧を受信してもよい。ストレージキャパシターＣｓｔは液晶キャパシターに充電された電圧を補完する役割を果たす。
【００６９】
図３は図１に示された第１反転ユニットの構成を示す図面である。
【００７０】
図３には第１反転ユニットＩＮＶ１の構成が図示されたが、実質的に、図１に示された他の反転ユニットも図３に示された第１反転ユニットＩＮＶ１と同一の構成を有する。
【００７１】
図３を参照すれば、第１反転ユニットＩＮＶ１は演算増幅器ＡＭＰ、第１抵抗Ｒ１、及び第２抵抗Ｒ２を含む。演算増幅器ＡＭＰは正極性入力端子（＋）、負極性入力端子（−）、及び出力端子を含む。
【００７２】
演算増幅器ＡＭＰの正極性入力端子（＋）は接地端子に連結される。第１抵抗Ｒ１は演算増幅器ＡＭＰの負極性入力端子（−）に連結される。第２抵抗Ｒ２は演算増幅器ＡＭＰの負極性入力端子（−）と演算増幅器ＡＭＰの出力端子とに連結される。
【００７３】
演算増幅器ＡＭＰの負極性入力端子（−）は第１抵抗Ｒ１を通じてデータ電圧Ｖｄを受信する。データ電圧Ｖｄは第１データラインＤＬ１に印加されるデータ電圧である。演算増幅器ＡＭＰの出力端子はデータ電圧Ｖｄと反対極性を有する反転電圧Ｖｉｎｖを出力する。
【００７４】
図３に示された回路構成は反転増幅器であるとも称される。反転増幅器は入力された信号の極性を反転及び増幅させて出力する。
【００７５】
具体的に、演算増幅器ＡＭＰの正極性入力端子（＋）と負極性入力端子（−）との入力電流は０である。演算増幅器ＡＭＰの正極性入力端子（＋）の電圧と負極性入力端子（−）の電圧とは同一である。したがって、第１抵抗Ｒ１と第２抵抗Ｒ２とに流れる電流は同一である。
【００７６】
第１抵抗Ｒ１と第２抵抗Ｒ２との接点での電流関係はキルヒホフの電流法則（ＫＣＬ、Ｋｉｒｃｈｈｏｆｆ’ｓ  Ｃｕｒｒｅｎｔ  Ｌａｗ）方程式によって次のような数式１として整理される。
【数１】
2016143056.tif 000003
【００７７】
数学式１は利得Ｇに対する方程式として次のような数式２として整理される。
【数２】
2016143056.tif 000004
【００７８】
演算増幅器ＡＭＰの入力端子に流れる電流は理想的な場合、０である。しかし、実際に素子によって異なるが、極めて少ない量の電流が流れるので、演算増幅器ＡＭＰの入力端子に流れる電流は厳密に０ではない。したがって、利得Ｇは端子に流れる電流の大きさにしたがって誤差を有する近似値である。
【００７９】
利得Ｇが近似値であるので、数学式２で反転電圧Ｖｉｎｖは次のような数式３として整理される。
【数３】
2016143056.tif 000005
【００８０】
したがって、第１反転ユニットＩＮＶ１はデータ電圧Ｖｄを受信し、データ電圧Ｖｄの極性を反転させてデータ電圧Ｖｄと反対極性を有する反転電圧Ｖｉｎｖとを出力する。
【００８１】
図４は図１に示された表示パネルの一部を示した平面図である。図５は単色に駆動される比較表示パネルの一部領域を示した図面である。
【００８２】
例示的な実施形態として、図４には第１乃至第５ゲートラインＧＬ１〜ＧＬ５、第１乃至９データラインＤＬ１〜ＤＬ９、及び第１乃至９反転ラインＩＬ１〜ＩＬ９に連結された画素ＰＸが示された。図４には説明を簡単にするために、レッド画素はＲ、グリーン画素はＧ、ブルー画素はＢ、及びホワイト画素はＷとして示されている。
【００８３】
図４で現在フレームの間に正極性（＋）のデータ電圧が印加される画素ＰＸはＲ＋、Ｇ＋、Ｂ＋、及びＷ＋として示されている。また、現在フレームの間に負極性（−）のデータ電圧を印加された画素ＰＸはＲ−、Ｇ−、Ｂ−、及びＷ−として図示された。
【００８４】
図４を参照すれば、画素ＰＸはレッド色を表示する複数のレッド画素Ｒ、グリーン色を表示する複数のグリーン画素Ｇ、ブルー色を表示する複数のブルー画素Ｂ、及びホワイト色を表示する複数のホワイト画素Ｗを含む。しかし、これに限定されなく、画素ＰＸはイエロー、シアン、及びマゼンタ色を表示するイエロー画素、シアン画素、及びマゼンタ画素をさらに含んでもよい。
【００８５】
画素ＰＸは第１画素グループＰＧ１及び第２画素グループＰＧ２にグルーピングされる。第１画素グループＰＧ１及び第２画素グループＰＧ２は第１方向ＤＲ１と第２方向ＤＲ２とに交互に配置されている。しかし、第１及び第２画素グループＰＧ１、ＰＧ２の配置構成は図３に示された第１及び第２画素グループＰＧ１、ＰＧ２の配置構成に限定されなく、多様に設定されてもよい。
【００８６】
例えば、同一行に同一の画素グループが配置され、第２方向ＤＲ２に第１画素グループＰＧ１及び第２画素グループＰＧ２が繰り返して交互に配置されてもよい。また、同一列に同一の画素グループが配置され、第１方向ＤＲ１に第１画素グループＰＧ１及び第２画素グループＰＧ２が繰り返して交互に配置されてもよい。
【００８７】
第１画素グループＰＧ１及び第２画素グループＰＧ２は各々２ｋ個の画素ＰＸを含む。ｋは自然数である。即ち、第１画素グループＰＧ１及び第２画素グループＰＧ２は各々の偶数個の画素ＰＸを含む。例示的な実施形態として、ｋは１であり、このような場合、図４に示したように、第１画素グループＰＧ１及び第２画素グループＰＧ２は各々２つの画素ＰＸを含む。
【００８８】
第１画素グループＰＧ１は各々レッド画素Ｒ、グリーン画素Ｇ、ブルー画素Ｂ、及びホワイト画素Ｗの中で２つを含み、第２画素グループＰＧ２は各々レッド画素Ｒ、グリーン画素Ｇ、ブルー画素Ｂ、及びホワイト画素Ｗの中で、第１画素グループに含まれない残る２つを含む。即ち、第１画素グループＰＧ１及び第２画素グループＰＧ２は互に異なる色を表示する。
【００８９】
例えば、図４に示したように、第１画素グループＰＧ１は各々レッド画素Ｒ及びグリーン画素Ｇを含む。第２画素グループＰＧ２は各々ブルー画素Ｂ及びホワイト画素Ｗを含む。しかし、画素ＰＸの配置構成は図４に示された画素ＰＸの配置構成に限定されなく、多様に設定されてもよい。
【００９０】
例えば、第１画素グループＰＧ１は各々レッド画素Ｒ及びブルー画素Ｂを含み、第２画素グループＰＧ２は各々グリーン画素Ｇ及びホワイト画素Ｗを含んでもよい。また、第１画素グループＰＧ１は各々レッド画素Ｒ及びホワイト画素Ｗを含み、第２画素グループＰＧ２は各々グリーン画素Ｇ及びブルー画素Ｂを含んでもよい。
【００９１】
データラインＤＬ１〜ＤＬ９の中でｊ番目のデータライン及びｊ＋１番目のデータラインの間に配置されたｃ番目の列の画素はｊ番目のデータライン及びｊ＋１番目のデータラインに少なくとも１つの画素ＰＸ単位に交互に連結される。ｊ及びｃは自然数である。以下、例示的に、ｊ及びｃは１である場合の画素ＰＸとデータラインとの連結構成が説明される。
【００９２】
第１データラインＤＬ１と第２データラインＤＬ２との間に配置された第１番目の列の画素ＰＸは第１データラインＤＬ１と第２データラインＤＬ２とに１つの画素ＰＸ単位に交互に連結される。即ち、各列に配置された画素ＰＸは各列の左側及び右側に隣接するデータラインに１つの画素ＰＸ単位に交互に連結される。
【００９３】
例えば、第１番目の列で第１画素グループＰＧ１のレッド画素Ｒ＋は第１データラインＤＬ１に連結され、第２画素グループＰＧ２のブルー画素Ｂ−は第２データラインＤＬ２に連結される。
【００９４】
２ｃ−１番目の列の画素の中で２ｉ番目のゲートラインを介して第２方向ＤＲ２に互いに隣接する２つの画素ＰＸは２ｉ番目のゲートラインを互いに共有して接続される。ｉは自然数である。また、２ｃ番目の列の画素の中で２ｉ−１番目のゲートラインを介して第２方向ＤＲ２に互いに隣接する２つの画素ＰＸは２ｉ−１番目のゲートラインを互いに共有して接続される。
【００９５】
具体的に、第１番目の列の画素ＰＸの中で第２ゲートラインＧＬ２を介して第２方向ＤＲ２に互いに隣接するレッド画素Ｒ＋及びブルー画素Ｂ−は第２ゲートラインＧＬ２を互いに共有して接続される。また、第３番目の列の画素ＰＸの中で第２ゲートラインＧＬ２を介して第２方向ＤＲ２に互いに隣接するブルー画素Ｂ＋及びレッド画素Ｒ−は第２ゲートラインＧＬ２を互いに共有して接続される。
【００９６】
したがって、第２ゲートラインＧＬ２に連結された第１番目の列のレッド画素Ｒ＋及びブルー画素Ｂ−は第２ゲートラインＧＬ２を通じて受信されたゲート信号によって同時に駆動される。また、第２ゲートラインＧＬ２に連結された第３番目の列のブルー画素Ｂ＋及びレッド画素Ｒ−は第２ゲートラインＧＬ２を通じて受信されたゲート信号によって同時に駆動される。
【００９７】
第２番目の列の画素ＰＸの中で第３ゲートラインＧＬ３を介して第２方向ＤＲ２に互いに隣接するホワイト画素Ｗ＋及びグリーン画素Ｇ−は第３ゲートラインＧＬ３を互いに共有して接続される。第４番目の列の画素ＰＸの中で第３ゲートラインＧＬ３を介して第２方向ＤＲ２に互いに隣接するグリーン画素Ｇ＋及びホワイト画素Ｗ−は第３ゲートラインＧＬ３を互いに共有して接続される。
【００９８】
したがって、第３ゲートラインＧＬ３に連結された第２番目の列のホワイト画素Ｗ＋及びグリーン画素Ｇ−は第３ゲートラインＧＬ３を通じて受信されたゲート信号によって同時に駆動される。また、第３ゲートラインＧＬ３に連結された第４番目の列のグリーン画素Ｇ＋及びホワイト画素Ｗ−は第３ゲートラインＧＬ３を通じて受信されたゲート信号によって同時に駆動される。
【００９９】
画素ＰＸとゲートラインとの連結構成は前述した構成に制限されない。例えば、２ｃ−１番目の列の画素ＰＸの中で２ｉ−１番目のゲートラインを介して第２方向ＤＲ２に互いに隣接する２つの画素ＰＸは２ｉ−１番目のゲートラインを互いに共有して接続されてもよい。また、２ｃ番目の列の画素ＰＸの中で２ｉ番目のゲートラインを介して第２方向ＤＲ２に互いに隣接する２つの画素ＰＸは２ｉ番目のゲートラインを互いに共有して接続される。
【０１００】
データラインＤＬ１〜ＤＬ９に印加されるデータ電圧の極性は１つのデータライン単位に反転される。例えば、図４に示したように、奇数番目のデータラインＤＬ１、ＤＬ３、ＤＬ５、ＤＬ７、ＤＬ９に正極性（＋）のデータ電圧が印加される。偶数番目のデータラインＤＬ２、ＤＬ４、ＤＬ６、ＤＬ８に負極性（−）のデータ電圧が印加される。
【０１０１】
したがって、図４に示したように、ｈ番目の行の第１及び第２画素グループＰＧ１、ＰＧ２とｈ＋１番目の行の第１及び第２画素グループＰＧ１、ＰＧ２は互に異なる極性のデータ電圧を受信する。ｈは自然数である。
【０１０２】
例えば、ｈが１である場合、第１番目の行の第１画素グループＰＧ１のレッド画素Ｒ＋は正極性（＋）のデータ電圧を受信し、グリーン画素Ｇ−は負極性（−）のデータ電圧を受信する。第２番目の行の第１画素グループＰＧ１のレッド画素Ｒ−は負極性（−）のデータ電圧を受信し、グリーン画素Ｇ＋は正極性（＋）のデータ電圧を受信する。
【０１０３】
また、第１番目の行の第２画素グループＰＧ２のブルー画素Ｂ＋は正極性（＋）のデータ電圧を受信し、ホワイト画素Ｗ−は負極性（−）のデータ電圧を受信する。第２番目の行の第２画素グループＰＧ２のブルー画素Ｂ−は負極性（−）のデータ電圧を受信し、ホワイト画素Ｗ＋は正極性（＋）のデータ電圧を受信する。
【０１０４】
図４に示された表示パネル１１０の画素ＰＸに提供されるデータ電圧の極性は現在フレームの極性を示したものである。前述したように、データ駆動部１４０はフレーム毎にデータ電圧の極性を反転させて出力する。したがって、次のフレームで画素ＰＸに提供されるデータ電圧の極性は反転される。
【０１０５】
即ち、反転ラインＩＬ１〜ＩＬ９はデータラインＤＬ１〜ＤＬ９と１：１対応するように配置される。反転ラインＩＬ１〜ＩＬ９は各々データラインＤＬ１〜ＤＬｎの中で対応するデータラインに隣接するように配置される。反転ラインＩＬ１〜ＩＬ９は各々対応するデータラインに印加されるデータ電圧と反対極性を有する反転電圧を受信する。前述したように、反転ラインＩＬ１〜ＩＬ９は反転駆動部１５０を通じて反転電圧を受信する。
【０１０６】
図５を参照すれば、比較表示パネル１０は反転ラインＩＬ１〜ＩＬｎ及び反転駆動部１５０を含まない。反転ラインＩＬ１〜ＩＬｎ及び反転駆動部１５０をふくまないことを除外すれば、比較表示パネル１０の他の構成は実質的に図４に示された表示パネル１１０と同一の構成を有する。
【０１０７】
比較表示パネル１０は単色で駆動される。例えば、図５に示したように、レッド画素Ｒが駆動される。同一行に配置され、同一の色を表示する画素（以下、同一画素と称する）に印加されるデータ電圧の極性は同一である。
【０１０８】
即ち、同一行のレッド画素Ｒは同一の極性のデータ電圧を受信して駆動される。例えば、第１番目の行に配置され、第１及び第５データラインＤＬ１、ＤＬ５に連結されたレッド画素Ｒ＋は正極性（＋）のデータ電圧を受信する。また、第２番目の行に配置され、第４及び第８データラインＤＬ４、ＤＬ８に連結されたレッド画素Ｒ−は負極性（−）のデータ電圧を受信する。
【０１０９】
同一行に配置されたレッド画素Ｒに印加されるデータ電圧の極性が同一である場合、データラインと共通電極のカップリング現象によって共通電圧にリップルが発生する。データ電圧の極性が正極性（＋）である場合、共通電圧に正の方向にリップルが発生する。データ電圧の極性が負極性（−）である場合、共通電圧に負の方向にリップルが発生する。
【０１１０】
このような共通電圧のリップルによって行単位に輝度差が視認される水平クロストーク現象が発生される。水平クロストーク現象によって表示品質が低下される。レッド画素Ｒの駆動の時、水平クロストークが例示的に説明されたが、他の画素の駆動の時にも水平クロストーク現象が発生されることがあり得る。
【０１１１】
再び図４を参照すれば、本発明の実施形態で、各々のデータラインＤＬ１〜ＤＬ９に隣接するように配置された反転ラインＩＬ１〜ＩＬ９に反転電圧が印加される。前述したように、反転電圧はデータラインＤＬ１〜ＤＬ９に印加されるデータ電圧と反対極性を有する。
【０１１２】
したがって、データラインＤＬ１〜ＤＬ９に提供されるデータ電圧と反転ラインＩＬ１〜ＩＬ９に提供される反転電圧との極性の合計が相殺されて共通電圧のリップルが防止されることができる。
【０１１３】
結果的に、本発明の実施形態による表示装置１００Ａは共通電圧のリップルを防止して表示品質を向上させることができる。
【０１１４】
図６は本発明の第２実施形態による表示装置のブロック図である。
【０１１５】
反転駆動部１６０の配置構成を除外すれば、図６に示された表示装置１００Ｂは実質的に、図１に示された表示装置１００Ａと同一の構成を有する。したがって、同一の構成は同一の符号を使用して図示され、以下、図１に示された表示装置１００Ａと異なる構成が説明される。
【０１１６】
図６を参照すれば、本発明の第２実施形態による反転駆動部１６０は表示パネル１１０とデータ駆動部１４０との間に配置されている。反転ラインＩＬ１〜ＩＬｎは第２方向ＤＲ２に延長されて反転駆動部１６０に連結される。反転ラインＩＬ１〜ＩＬｎは各々データラインＤＬ１〜ＤＬｎの中で対応するデータラインに隣接するように配置される。
【０１１７】
反転駆動部１６０は反転ラインＩＬ１〜ＩＬｎに対応するように配置される複数の反転ユニットＩＮＶ１〜ＩＮＶｎを含む。データラインＤＬ１〜ＤＬｎの一端はデータ駆動部１４０に連結される。反転ユニットＩＮＶ１〜ＩＮＶｎの各々の入力端はデータラインＤＬ１〜ＤＬｎの中で対応するデータラインの一端に連結される。反転ユニットＩＮＶ１〜ＩＮＶｎの各々の出力端は反転ラインＩＬ１〜ＩＬｎの中で対応する反転ラインに連結される。
【０１１８】
反転ユニットＩＮＶ１〜ＩＮＶｎはデータラインＤＬ１〜ＤＬｎを通じて受信されたデータ電圧の極性を反転させる。反転ユニットＩＮＶ１〜ＩＮＶｎはデータ電圧の極性を反転させた反転電圧を反転ラインＩＬ１〜ＩＬｎに印加する。
【０１１９】
したがって、データラインＤＬ１〜ＤＬｎに提供されるデータ電圧と反転ラインＩＬ１〜ＩＬｎに提供される反転電圧との極性の合計が相殺されて共通電圧のリップルが防止されることができる。
【０１２０】
結果的に、本発明の第２実施形態による表示装置１００Ｂは共通電圧のリップルを防止して表示品質を向上させることができる。
【０１２１】
図７は本発明の第３実施形態による表示装置のブロック図である。
【０１２２】
図７を参照すれば、データラインＤＬ１〜ＤＬｎ及び反転ラインＩＬ１〜ＩＬｎは第２方向ＤＲ２に延長されてデータ駆動部１４０に連結される。反転ラインＩＬ１〜ＩＬｎは各々データラインＤＬ１〜ＤＬｎの中で対応するデータラインに隣接するように配置される。
【０１２３】
データ駆動部１４０はデータ電圧及び反転電圧を生成する。例えば、データ駆動部１４０はデータ電圧を生成し、データ電圧の極性を反転して反転電圧を生成する。
【０１２４】
データ駆動部１４０は反転電圧を生成するための反転駆動部を含む。即ち、図１に示された反転駆動部１５０又は図６に示された反転駆動部１６０がデータ駆動部１４０の内部に配置され、データ電圧の極性を反転させて反転電圧を生成する。データラインＤＬ１〜ＤＬｎはデータ電圧を受信して画素ＰＸに提供する。反転ラインＩＬ１〜ＩＬｎは反転電圧を受信する。
【０１２５】
したがって、データラインＤＬ１〜ＤＬｎに提供されるデータ電圧と反転ラインＩＬ１〜ＩＬｎに提供される反転電圧との極性の合計が相殺されて共通電圧のリップルが防止されることができる。
【０１２６】
結果的に、本発明の第３実施形態による表示装置１００Ｃは共通電圧のリップルを防止して表示品質を向上させることができる。
【０１２７】
図８乃至図１９は本発明の多様な実施形態による表示パネルの一部を示した平面図である。
【０１２８】
図８乃至図１９に示された表示パネル１００Ａ〜１００Ｌは図１、図６、及び図７に示された表示装置１００Ａ、１００Ｂ、１００Ｃの表示パネルとして使用されることができる。
【０１２９】
以下、図８乃至図１９を参照して本発明の多様な実施形態による表示パネルの構成が説明される。図８乃至図１９に示された多様な実施形態による表示パネルは図４に示された表示パネルとの差異点を中心に説明し、説明されなかった部分は図４と関連された説明にしたがう。
【０１３０】
図８を参照すれば、表示パネル１１０Ａは複数の画素ＰＸを含む。奇数番目の行の画素ＰＸはレッド画素Ｒ、グリーン画素Ｇ、ブルー画素Ｂ、及びホワイト画素Ｗの順に配置される。偶数番目の行の画素ＰＸはブルー画素Ｂ、ホワイト画素Ｗ、レッド画素Ｒ、及びグリーン画素Ｇの順に配置される。
【０１３１】
同一の行に配置された画素ＰＸはゲートラインＧＬ１〜ＧＬ４の中で対応するゲートラインに連結される。同一の列に配置された画素ＰＸはデータラインＤＬ１〜ＤＬ８の中で対応するデータラインに連結される。したがって、各々の画素ＰＸは下部のゲートライン及び左側のデータラインに連結される。
【０１３２】
データラインＤＬ１〜ＤＬ８に印加されるデータ電圧の極性は＋−−＋＋−−＋である。即ち、４つのデータライン単位に正極性、負極性、負極性、及び正極性のデータ電圧がデータラインに印加される。
【０１３３】
以下の実施形態で、データラインに印加されるデータ電圧の極性は２つのデータライン単位に反転される。したがって、図９乃至図１９で、データラインに印加されるデータ電圧の極性は＋＋−−＋＋−−順序であることを一例として示した。即ち、データ電圧の極性は２つのデータライン単位に反転される。
【０１３４】
図９を参照すれば、画素ＰＸとゲートラインＧＬ１〜ＧＬ５との連結構成は実質的に図４と同一である。表示パネル１１０Ｂのｊ番目のデータラインとｊ＋１番目のデータラインとの間に配置されたｃ番目の列の画素ＰＸはｊ番目のデータラインとｊ＋１番目のデータラインとに２つの画素単位に交互に連結される。
【０１３５】
ｊ及びｃが１である場合、第１データラインＤＬ１と第２データラインＤＬ２との間に配置された第１番目の列の画素ＰＸは第１データラインＤＬ１と前記第２データラインＤＬ２とに２つの画素単位に交互に連結される。例えば、第１番目の列の画素ＰＸの中で第１番目の行のレッド画素Ｒ＋と第２番目の行のブルー画素Ｂ＋とは第１データラインＤＬ１に連結され、第３番目の行のレッド画素Ｒ＋と第４番目の行のブルー画素Ｂ＋とは第２データラインＤＬ２に連結される。
【０１３６】
図１０を参照すれば、画素ＰＸとデータラインＤＬ１〜ＤＬ９との連結構成は実質的に図９と同一である。表示パネル１１０Ｃのｉ番目のゲートラインとｉ＋１番目のゲートラインとの間に配置されたｈ番目の行の画素ＰＸはｉ番目のゲートラインとｉ＋１番目のゲートラインとに２つの画素ＰＸ単位に交互に連結される。
【０１３７】
ｉとｈとが１である場合、第１番目の行の画素ＰＸの中でレッド画素Ｒ＋及びグリーン画素Ｇ＋は第１ゲートラインＧＬ１に連結され、ブルー画素Ｂ−及びホワイト画素Ｗ−は第２ゲートラインＧＬ２に連結される。
【０１３８】
図１１を参照すれば、画素ＰＸとデータラインＤＬ１〜ＤＬ９との連結構成は実質的に図９と同一である。表示パネル１１０Ｄのｉ番目のゲートラインとｉ＋１番目のゲートラインとの間に配置されたｈ番目の行の画素ＰＸはｉ番目のゲートラインとｉ＋１番目のゲートラインとに４つの画素ＰＸ単位に交互に連結される。
【０１３９】
ｉとｈとが１である場合、第１番目の行の画素ＰＸの中で最初の４つの画素ＰＸは第１ゲートラインＧＬ１に連結され、次の４つの画素ＰＸは第２ゲートラインＧＬ２に連結される。
【０１４０】
図１２を参照すれば、画素ＰＸとデータラインＤＬ１〜ＤＬ９との連結構成は実質的に図９と同一である。
【０１４１】
表示パネル１１０Ｅのｉ番目のゲートラインとｉ＋１番目のゲートラインとの間に配置されたｈ番目の行の画素はｉ番目のゲートラインとｉ＋１番目のゲートラインとに４つの画素単位に反転されて連結される。また、４つ単位の画素ＰＸはｉ番目のゲートラインとｉ＋１番目のゲートラインに１つの画素単位に交互に連結される。
【０１４２】
ｉとｈが１である場合、第１番目の行の画素の中で最初の４つの画素は第２ゲートラインＧＬ２、第１ゲートラインＧＬ１、第２ゲートラインＧＬ２、及び第１ゲートラインＧＬ１に順に連結され、次の４つの画素は第１ゲートラインＧＬ１、第２ゲートラインＧＬ２、第１ゲートラインＧＬ１、及び第２ゲートラインＧＬ２に順に連結される。
【０１４３】
図１３乃至図１６に示された表示パネル１１０Ｆ〜１１０Ｉの各々は図９乃至図１２の表示パネル１１０Ｂ〜１１０Ｅの各々と比較して画素ＰＸとデータラインＤＬ１〜ＤＬ９との連結構成を除外すれば、同一の連結構成を有する。
【０１４４】
図１３乃至図１６を参照すれば、ｊ番目のデータラインとｊ＋１番目のデータラインとの間に配置されたｃ番目の列の画素ＰＸはｊ番目のデータラインとｊ＋１番目のデータラインとに４つの画素単位に交互に連結される。
【０１４５】
ｊ及びｃが１である場合、第１データラインＤＬ１と第２データラインＤＬ２との間に配置された第１番目の列の画素は第１データラインＤＬ１と第２データラインＤＬ２とに４つの画素単位に交互に連結される。
【０１４６】
例えば、第１番目の列の画素の中で第１番目の行のレッド画素Ｒ＋、第２番目の行のブルー画素Ｂ＋、第３番目の行のレッド画素Ｒ＋、及び第４番目の行のブルー画素Ｂ＋は第１データラインＤＬ１に連結され、第５番目の行のレッド画素Ｒ＋、第６番目の行のブルー画素Ｂ＋、第７番目の行のレッド画素Ｒ＋、及び第８番目の行のブルー画素Ｂ＋は第２データラインＤＬ２に連結される。
【０１４７】
図１７乃至図１９に示された表示パネル１１０Ｊ〜１１０Ｌの各々は図１０乃至図１２の表示パネル１１０Ｃ〜１１０Ｅの各々と比較して画素ＰＸとデータラインＤＬ１〜ＤＬ９との連結構成を除外すれば、同一の連結構成を有する。
【０１４８】
図１７乃至図１９を参照すれば、ｊ番目のデータラインとｊ＋１番目のデータラインとの間に配置されたｃ番目の列の画素ＰＸはｊ番目のデータラインとｊ＋１番目のデータラインとに１つの画素単位に交互に連結される。
【０１４９】
ｊ及びｃが１である場合、第１データラインＤＬ１と第２データラインＤＬ２との間に配置された第１番目の列の画素は第１データラインＤＬ１と第２データラインＤＬ２とに１つの画素単位に交互に連結される。
【０１５０】
例えば、第１番目の列の画素の中で第１番目の行のレッド画素Ｒ＋は第１データラインＤＬ１に連結され、第２番目の行のブルー画素Ｂ＋は第２データラインＤＬ２に連結され、第３番目の行のレッド画素Ｒ＋は第１データラインＤＬ１に連結され、第４番目の行のブルー画素Ｂ＋は第２データラインＤＬ２に連結される。
【０１５１】
図８乃至図１９に示された表示パネル１１０Ａ〜１１０Ｌで、同一行に配置された同一画素に印加されるデータ電圧の極性は同一である。データラインＤＬ１〜ＤＬ９に隣接するように配置された反転ラインＩＬ１〜ＩＬ９に反転電圧が印加される。
【０１５２】
データラインＤＬ１〜ＤＬ９に提供されるデータ電圧と反転ラインＩＬ１〜ＩＬ９に提供される反転電圧との極性の合計が相殺されて共通電圧のリップルが防止されることができる。したがって、図８乃至図１９に示された表示パネル１１０Ａ〜１１０Ｌの駆動の時に共通電圧のリップルが防止されることができる。
【０１５３】
図２０は本発明の実施形態による表示パネルの一部を示した平面図である。
【０１５４】
図２０を参照すれば、表示パネル２１０は複数の画素ＰＸを含む。各画素ＰＸは互に異なる階調の映像を表示する第１サブ画素ＰＸ１及び第２サブ画素ＰＸ２を含む。第１サブ画素ＰＸ１及び第２サブ画素ＰＸ２は互いに同一のゲートライン及び同一のデータラインに連結される。
【０１５５】
第１サブ画素ＰＸ１及び第２サブ画素ＰＸ２は互いに同一の極性のデータ電圧を受信し、互に異なるレベルの画素電圧を充電する。このような場合、表示装置を見る人の目は２つの画素電圧の中間値を認識する。
【０１５６】
したがって、中間階調以下でガンマカーブの歪曲によって発生される側面視野角の低下が防止されることができる。即ち、第１及び第２サブ画素ＰＸ１、ＰＸ２が互に異なる画素電圧を有するように充電されることによって、表示装置の視認性が改善されることができる。
【０１５７】
図２０に示された第１サブ画素ＰＸ１及び第２サブ画素ＰＸ２を含む画素ＰＸの構造は視認性構造として定義されることができる。
【０１５８】
図２０に示された視認性構造は実質的に、図４に示された画素ＰＸに適用された構造である。しかし、これに限定されなく、このような視認性構造は図８乃至１９に示された表示パネル１１０Ａ〜１１０Ｌの画素ＰＸに適用されることができる。
【０１５９】
図２１は図２０に示された１つの画素の等価回路図である。
【０１６０】
図２１には１つの画素ＰＸの等価回路図が示されたが、実質的に、図２０に示された他の画素ＰＸも図２１に示された画素ＰＸと同一の構成を有する。
【０１６１】
図２１を参照すれば、画素ＰＸは第１画素電圧を充電する第１サブ画素ＰＸ１及び第１画素電圧と異なるレベルを有する第２画素電圧を充電する第２サブ画素ＰＸ２を含む。第１サブ画素ＰＸ１は第１トランジスタＴＲ１、第１液晶キャパシターＣｌｃ１、及び第１ストレージキャパシターＣｓｔ１を含む。第２サブ画素ＰＸ２は第２トランジスタＴＲ２、第３トランジスタＴＲ３、第２液晶キャパシターＣｌｃ２、及び第２ストレージキャパシターＣｓｔ２を含む。
【０１６２】
第１トランジスタＴＲ１はｉ番目のゲートラインＧＬｉに連結されたゲート電極、ｊ番目のデータラインＤＬｊに連結されたソース電極、及び第１液晶キャパシターＣｌｃ１及び第１ストレージキャパシターＣｓｔ１に連結されたドレーン電極を含む。
【０１６３】
第１液晶キャパシターＣｌｃ１の第１電極は第１トランジスタＴＲ１のドレーン電極に連結され、第２電極は共通電圧Ｖｃｏｍを受信する。第１ストレージキャパシターＣｓｔ１の第１電極は第１トランジスタＴＲ１のドレーン電極に連結され、第２電極はストレージ電圧Ｖｃｓｔを受信する。
【０１６４】
第２トランジスタＴＲ２はｉ番目のゲートラインＧＬｉに連結されたゲート電極、ｊ番目のデータラインＤＬｊに連結されたソース電極、及び第２液晶キャパシターＣｌｃ２及び第２ストレージキャパシターＣｓｔ２に連結されたドレーン電極を含む。
【０１６５】
第２液晶キャパシターＣｌｃ２の第１電極は第２トランジスタＴＲ２のドレーン電極に連結され、第２電極は共通電圧Ｖｃｏｍを受信する。第２ストレージキャパシターＣｓｔ２の第１電極は第２トランジスタＴＲ２のドレーン電極に連結され、第２電極はストレージ電圧Ｖｃｓｔを受信する。
【０１６６】
第３トランジスタＴＲ３はｉ番目のゲートラインＧＬｉに連結されたゲート電極、ストレージ電圧Ｖｃｓｔを受信するソース電極、及び第２トランジスタＴＲ２のドレーン電極に連結されたドレーン電極を含む。即ち、第３トランジスタＴＲ３のドレーン電極は第２液晶キャパシターＣｌｃ２の第１電極に連結される。
【０１６７】
第１乃至第３トランジスタＴＲ１〜ＴＲ３はｉ番目のゲートラインＧＬｉを通じて受信されたゲート信号に応答してターンオンされる。ｊ番目のデータラインＤＬｊを通じて受信されたデータ電圧はターンオンされた第１トランジスタＴＲ１を通じて第１サブ画素ＰＸ１に提供される。したがって、データ電圧と共通電圧Ｖｃｏｍとのレベル差に対応される第１画素電圧が第１液晶キャパシターＣｌｃ１に充電される。
【０１６８】
ｊ番目のデータラインＤＬｊを通じて受信されたデータ電圧はターンオンされた第２トランジスタＴＲ２を通じて第２サブ画素ＰＸ２に提供される。即ち、ｊ番目のデータラインＤＬｊを通じて受信されたデータ電圧は第２トランジスタＴＲ２を通じて第２液晶キャパシターＣｌｃ２に提供される。
【０１６９】
ターンオンされた第３トランジスタＴＲ３はストレージ電圧Ｖｃｓｔを受信して第２サブ画素ＰＸ２に提供する。即ち、ストレージ電圧Ｖｃｓｔは第３トランジスタＴＲ３を通じて第２液晶キャパシターＣｌｃ２に提供される。
【０１７０】
データ電圧は正極性及び負極性の中でいずれか１つの極性を有する。共通電圧Ｖｃｏｍはストレージ電圧Ｖｃｓｔと実質的に同一の電圧を有する。
【０１７１】
第２トランジスタＴＲ２のドレーン電極及び第３トランジスタＴＲ３のドレーン電極が連結された接点ノードＣＮの電圧は第２トランジスタＴＲ２及び第３トランジスタＴＲ３のターンオンの時に抵抗状態の抵抗値によって分配された電圧である。
【０１７２】
即ち、接点ノードＣＮの電圧はターンオンされた第２トランジスタＴＲ２を通じて提供されるデータ電圧より小さく、ターンオンされた第３トランジスタＴＲ３を通じて提供されるストレージ電圧Ｖｃｓｔより大きい値を有する。接点ノードＣＮの電圧と共通電圧Ｖｃｏｍとのレベル差に対応する第２画素電圧が第２液晶キャパシターＣｌｃ２に充電される。
【０１７３】
第２画素電圧は接点ノードＣＮの電圧と共通電圧Ｖｃｏｍとのレベル差に対応する画素電圧であるので、第１液晶キャパシターＣｌｃ１に充電された第１画素電圧は第２液晶キャパシターＣｌｃ２に充電された第２画素電圧より大きい。その結果、第１サブ画素ＰＸ１に充電された第１画素電圧と第２サブ画素ＰＸ２に充電された第２画素電圧とが互いに異なるので、表示装置の視認性が改善されることができる。
【０１７４】
図２２は図２０に示された１つの画素の他の等価回路図である。
【０１７５】
図２２を参照すれば、画素ＰＸは第１サブ画素ＰＸ１及び第２サブ画素ＰＸ２を含む。第１サブ画素ＰＸ１は第１トランジスタＴＲ１、第１液晶キャパシターＣｌｃ１、及び第１ストレージキャパシターＣｓｔ１を含む。第２サブ画素ＰＸ２は第２トランジスタＴＲ２、第３トランジスタＴＲ３、第２液晶キャパシターＣｌｃ２、第２ストレージキャパシターＣｓｔ２、及びカップリングキャパシターＣｃｐを含む。
【０１７６】
第１トランジスタＴＲ１はｉ番目のゲートラインＧＬｉに連結されたゲート電極、ｊ番目のデータラインＤＬｊに連結されたソース電極、及び第１液晶キャパシターＣｌｃ１及び第１ストレージキャパシターＣｓｔ１に連結されたドレーン電極を含む。
【０１７７】
第１液晶キャパシターＣｌｃ１の第１電極は第１トランジスタＴＲ１のドレーン電極に連結され、第２電極は共通電圧Ｖｃｏｍを受信する。第１ストレージキャパシターＣｓｔ１の第１電極は第１トランジスタＴＲ１のドレーン電極に連結され、第２電極はストレージ電圧Ｖｃｓｔを受信する。
【０１７８】
第２トランジスタＴＲ２はｉ番目のゲートラインＧＬｉに連結されたゲート電極、ｊ番目のデータラインＤＬｊに連結されたソース電極、及び第２液晶キャパシターＣｌｃ２及び第２ストレージキャパシターＣｓｔ２に連結されたドレーン電極を含む。
【０１７９】
第２液晶キャパシターＣｌｃ２の第１電極は第２トランジスタＴＲ２のドレーン電極に連結され、第２電極は共通電圧Ｖｃｏｍを受信する。第２ストレージキャパシターＣｓｔ２の第１電極は第２トランジスタＴＲ２のドレーン電極に連結され、第２電極はストレージ電圧Ｖｃｓｔを受信する。
【０１８０】
第３トランジスタＴＲ３はｉ＋１番目のゲートラインＧＬｉ＋１に連結されたゲート電極、カップリングキャパシターＣｃｐに連結されたソース電極、及び第２トランジスタＴＲ２のドレーン電極に連結されたドレーン電極を含む。カップリングキャパシターＣｃｐの第１電極は第３トランジスタＴＲ３のソース電極に連結され、第２電極はストレージ電圧Ｖｃｓｔを受信する。
【０１８１】
図２０には示していないが、図２２の画素ＰＸ構造が図２０に示された画素ＰＸに適用される場合、第２サブ画素ＰＸ２の第３トランジスタＴＲ３はｉ＋１番目のゲートラインＧＬｉ＋１に連結されてもよい。
【０１８２】
第１及び第２トランジスタＴＲ１、ＴＲ２はｉ番目のゲートラインＧＬｉを通じて受信されたゲート信号に応答してターンオンされる。ｊ番目のデータラインＤＬｊを通じて受信されたデータ電圧はターンオンされた第１及び第２トランジスタＴＲ１、ＴＲ２を通じて第１及び第２サブ画素ＰＸ１、ＰＸ２に提供される。したがって、データ電圧と共通電圧Ｖｃｏｍとのレベル差に対応される第１画素電圧が第１及び第２液晶キャパシターＣｌｃ１、Ｃｌｃ２に充電される。
【０１８３】
以後、第３トランジスタＴＲ３がｉ＋１番目のゲートラインＧＬｉ＋１を通じて受信されたゲート信号に応答してターンオンされる。ターンオンされた前記第３トランジスタＴＲ３によって第２液晶キャパシターＣｌｃ２とカップリングキャパシターＣｃｐとの間に電圧分配が行われる。
【０１８４】
第２トランジスタＴＲ２のドレーン電極及び第３トランジスタＴＲ３のドレーン電極が連結された接点ノードＣＮの電圧は第２液晶キャパシターＣｌｃ２、第２ストレージキャパシターＣｓｔ２、及びカップリングキャパシターＣｃｐに格納された電荷が共有（ｃｈａｒｇｅ  ｓｈａｒｉｎｇ）されることによって、分配された電圧である。即ち、ｉ＋１番目のゲートラインＧＬｉ＋１を通じてゲート信号が印加された以後の時点で、第２液晶キャパシターＣｌｃ２に充電された電圧がダウンされる。
【０１８５】
したがって、第１液晶キャパシターＣｌｃ１に充電された第１画素電圧は第２液晶キャパシターＣｌｃ２に充電された第２画素電圧より大きい。その結果、第１サブ画素ＰＸ１に充電された第１画素電圧と第２サブ画素ＰＸ２に充電された第２画素電圧とが互いに異なるので、表示装置の視認性が改善されることができる。
【０１８６】
以上実施形態を参照して説明したが、該当技術分野の熟練された当業者は下記の特許請求の範囲に記載された本発明の思想及び領域から逸脱しない範囲内で本発明を多様に修正及び変更させ得ることを理解できる。また、本発明に開示された実施形態は本発明の技術思想を限定するためものでなく、下記の特許請求の範囲及びそれと同等な範囲内にある全て技術思想は本発明の権利範囲に含まれることと解釈されなければならない。
【符号の説明】
【０１８７】
１００Ａ、１００Ｂ、１００Ｃ  表示装置
１１０、１１０Ａ〜１１０Ｌ    表示パネル
１２０        タイミングコントローラ
１３０        ゲート駆動部
１４０        データ駆動部
１５０、１６０        反転駆動部
１１１        第１基板
１１２        第２基板
ＰＸ  画素
ＰＸ１、ＰＸ２        第１及び第２サブ画素
ＰＧ１、ＰＧ２        第１及び第２画素グループ
ＩＮＶ１〜ＩＮＶｎ    反転ユニット
【図１】
2016143056.tif 000006
【図２】
2016143056.tif 000007
【図３】
2016143056.tif 000008
【図４】
2016143056.tif 000009
【図５】
2016143056.tif 000010
【図６】
2016143056.tif 000011
【図７】
2016143056.tif 000012
【図８】
2016143056.tif 000013
【図９】
2016143056.tif 000014
【図１０】
2016143056.tif 000015
【図１１】
2016143056.tif 000016
【図１２】
2016143056.tif 000017
【図１３】
2016143056.tif 000018
【図１４】
2016143056.tif 000019
【図１５】
2016143056.tif 000020
【図１６】
2016143056.tif 000021
【図１７】
2016143056.tif 000022
【図１８】
2016143056.tif 000023
【図１９】
2016143056.tif 000024
【図２０】
2016143056.tif 000025
【図２１】
2016143056.tif 000026
【図２２】
2016143056.tif 000027